(57)【要約】【課題】葉書の表裏面に接着剤や剥離剤が残留することがない、葉書付き配送伝票を提供する。【課題の解決手段】葉書付き配送伝票１は、貼付票４と、配達証５と、葉書補助片６と、貼付片７と、受付店控片８とが切り用ミシン目９，１０，１１，１２を介して連接されてなる第１シート２と、貼付票対応片１３と、葉書片１４と、貼付片対応片１５と、受付店控片対応片１６とが切り用ミシン目９，１１，１２を介して連接されてなる第１シート２と同一大の第２シート３とを、貼付票４と貼付票対応片１３を、配達証５及び葉書補助片６と葉書片１４を、貼付片７と貼付片対応片１８を、受付店控片８と受付店控片対応片１６を、それぞれ対応させて重ね合わせ、配達票証５部分を除いて接着剤１７で接着するとともに、貼付票対応片１３と貼付片対応片１５の接着面には剥離処理を施してなる。【選択図】図３
2010030072.tif 000002
【特許請求の範囲】
【請求項１】
貼付票と、配達証と、葉書補助片と、貼付片と、受付店控片が切り用ミシン目を介して連接されてなる第１シートと、貼付票対応片と、葉書片と、貼付片対応片と、受付店控片対応片が切り用ミシン目を介して連接されてなる第２シートとを、前記貼付票と前記貼付票対応片を、前記配達証及び前記葉書補助片と前記葉書片を、前記貼付片と前記貼付片対応片を、前記受付店控片と前記受付店控片対応片を、それぞれ対応させて重ね合わせ、前記配達証部分を除いて接着するとともに、前記貼付票対応片と前記貼付片対応片の接着面には剥離処理を施してなることを特徴とする葉書付き配送伝票。
【発明の詳細な説明】
【技術分野】
【０００１】
本発明は、配送伝票に関し、特に葉書付きの配送伝票に関する。
【背景技術】
【０００２】
従来から葉書付きの配送伝票は知られているが、従来のこの種伝票では、一般に、葉書は、伝票基材のようなシートに剥離可能に接着されており、使用に際しては、シートから剥離することが必要となる（例えば、特許文献１）。
【０００３】
【特許文献１】特開２０００−１１８１６７号公報
【０００４】
このため、葉書の剥離面には、接着剤や剥離剤が残っていることがある。そして、これら剥離面の残留物によって、印字作業や、仕分け作業のような機械的作業を円滑に行えないという不都合があった。
【発明の開示】
【発明が解決しようとする課題】
【０００５】
本発明は、このような事情に鑑みてなされたもので、葉書の表裏面（表裏に表出する面をいう、以下同じ。）に接着剤や剥離剤が残留することがない、葉書付き配送伝票を提供することを目的とする。
【課題を解決するための手段】
【０００６】
この目的を達成するために、本発明に係る葉書付き配送伝票は、貼付票と、配達証と、葉書補助片と、貼付片と、受付店控片が切り用ミシン目を介して連接されてなる第１シートと、貼付票対応片と、葉書片と、貼付片対応片と、受付店控片対応片が切り用ミシン目を介して連接されてなる、好ましくは前記第１シートと同一大の第２シートとを、前記貼付票と前記貼付票対応片を、前記配達証及び前記葉書補助片と前記葉書片を、前記貼付片と前記貼付片対応片を、前記受付店控片と前記受付店控片対応片を、それぞれ対応させて重ね合わせ、前記配達証部分を除いて接着するとともに、前記貼付票対応片と前記貼付片対応片の接着面には剥離処理を施してなるものである。
【発明の効果】
【０００７】
本発明に係る葉書付き配送伝票によれば、配送伝票表裏面に段差がないので、印字動作や移送動作を円滑に行うことができ、また、配送伝票から分離した葉書の表裏面に接着剤や剥離剤が存在しないので、葉書の表裏面に対する追加記入や機械処理も円滑、かつ確実になされる、という効果を奏する。
【発明を実施するための最良の形態】
【０００８】
以下、本発明の好適な実施形態を添付図面に基づき説明する。ここにおいて、図１は葉書付き配送伝票の平面図、図２は同じく底面図、図３は図１のＡ−Ａ線断面図、図４は配送品に貼付した状態の断面図、図５は分離した葉書を示す断面図である。
【０００９】
図１〜図３に示すように、葉書付き配送伝票１は、同一大の第１シート２と第２シート３を重ね合わせてなる。図１及び図３に示すように、前記第１シート２は、貼付票４と、配達証５と、葉書補助片６と、貼付片７と、受付店控片８を、切り用ミシン目９、１０，１１，１２を介して連接してなる。一方、図２及び図３に示すように、第２シート３は、貼付票対応片１３と、葉書片１４と、貼付片対応片１５と、受付店控片対応片１６を、切り用ミシン目９，１１，１２を介して連接してなる。前記各切り用ミシン目９，１１，１２は、前記第１シート２と前記第２シートとに及ぶよう形成され、前記切り用ミシン目１０は前記第１シート２にのみ形成されている。
【００１０】
図３で理解できるように、貼付票４と貼付票対応片１３は同一大であり、配達証５及び葉書補助片６と葉書片１４は同一大であり、貼付片７と貼付片対応片１５は同一大であり、受付店控片８と受付店控片対応片１６は同一大であって、それぞれ上下に対応させて重ね合わせている。そして、前記配達票証５部分を除いて、公知の接着力の強い接着剤１７によって接着するとともに、前記貼付票対応片１３と前記貼付片対応片１５の接着面にはシリコン剤１８を塗布して剥離処理を施している。なお、前記葉書片１４は、市販の葉書と同一大であり、葉書補助片６とともに葉書２０を構成する（図５参照）。また、前記受付店控片８と前記受付店控片対応片１６とによって受付店控を構成する。
【００１１】
図１に示すように、貼付票４の表出面には「貼付票」なる表題と配送情報記入欄が、配達証５の表出面には「配達証」なる表題と配送情報記入欄及び受領印捺印欄が、受付店控片８の表出面には「受付店控」なる表題と配送情報記入欄が、それぞれあらかじめ印刷されている。また、図２に示すように、葉書片１４の表出面には、葉書表示や郵便番号記入欄があらかじめ印刷されている。一方、これら記入欄及び他の表出面には、当初は何も印字されておらず、白紙状態にある。
【００１２】
続いて、上述のごとく構成した葉書付き配送伝票１の使用法について説明する。この葉書付き配送伝票１はインターネットやカタログを利用した配送品の贈答に利用して好適なものであり、以下にこの種の贈答に適用した場合について説明する。まず、商品購入申込者は、インターネットやカタログで希望配送品を選択し、購入に必要な情報を記載した電子的あるいは紙の申込書をとりまとめ会社に送付する。
【００１３】
とりまとめ会社では、葉書付き配送伝票１に申込書に記載された必要情報を印字するが、この印字は葉書付き配送伝票１の表裏面に段差がないので円滑になされる。この時、図１及び図２に示すように、葉書片１４に、配送品贈答者である購入希望者の住所氏名を宛先情報として印字し、葉書補助片６には、配送品受領者の住所氏名を差出人情報として印字する。なお、第１シート２を感熱用紙で構成すれば、感熱プリンタによる印字が可能となるが、この場合は、葉書片１４には印字されない。また、印字情報は適宜変更可能である。そして、必要情報が印字された葉書付き配送伝票１（図１及び図２参照）は配送品販売業者に送付される。
【００１４】
葉書付き配送伝票１の送付を受けた配送品販売会社は、受付店控片８を受付店控片対応片１６とともに切り用ミシン目１２で切り離し、受付店控として保管する一方、貼付票対応片１３及び貼付片対応片１８を剥離し、露出した接着剤１７で、配達証５，葉書補助片６及び葉書片１４とともに、貼付票４と貼付片７を贈答品である配送品１９に貼付する（図４参照）。この配送伝票が貼付された配送品１９は、配送業者の作業員によって、従来と同様にして、贈答先（届け先）に配送される。そして、配送業者の作業員は、この配送作業における適宜な時に、配達証５を切り用ミシン目９，１０で切り離し、配送先で受領印の捺印を受けて自己の属する営業所などに持ち帰り、処理業務が行われる。
【００１５】
一方、配送品１９を受領した贈答先（届け先）では、切り用ミシン目１１で葉書片１４及び葉書補助片６からなる葉書２０を切り離し、配送品１９を受領した旨を知らせる礼状として、適宜情報を追記したうえ投函し、贈答品の受領を配送依頼人に知らせる。
【００１６】
なお、本発明は、上述した実施形態に限定されるものではなく、例えば、配達証５を貼付票４側ではなく、貼付片７側に設けて、葉書補助片６を貼付票４と切り用ミシン目９を介して連接してもよい。また、貼付票４、配達証５あるいは受付店控片８の大きさも適宜変更可能である。
【図面の簡単な説明】
【００１７】
【図１】葉書付き配送伝票の平面図。
【図２】同じく底面図。
【図３】図１のＡ−Ａ線断面図。
【図４】配送品に貼付した状態の断面図。
【図５】分離した葉書を示す断面図。
【符号の説明】
【００１８】
１      葉書付き配送伝票
２      第１シート
３      第２シート
４      貼付票
５      配達証
６      葉書補助片
７      貼付片
８      受付店控片
９，１０，１１，１２      切り用ミシン目
１４      葉書片
１７      接着剤
１８      シリコン
１９      配送品
２０      葉書
【図１】
2010030072.tif 000003
【図２】
2010030072.tif 000004
【図３】
2010030072.tif 000005
【図４】
2010030072.tif 000006
【図５】
2010030072.tif 000007